Podtech/llm-jp-corpus-v4-ja_patent huggingface dataset:
(57)【要約】【課題】従来の一般木造建築の免震支承は、凹球皿面と鋼球の組み合わせで出来ている物が有るがるが、設計以上の横ゆれに対して、此れを受け止めるダンパーと一体化し、此れをコンパクトにまとめた物が無った。【解決の手段】逆凹球皿面と鋼球の組み合わせで出来た免震支承の４隅に４本のダンパーを配し更にダンパーを上定盤を境に、上下に２分割し、且つ其の配分を変える事で、ダンパーの傾き（角度）を少なく抑え、地震による下定盤（基礎と一体の）の動きに、拠り順応しやすくした物である。又４本のダンパーの傾を少なくしたことで、建物を乗せる架台を免震支承の真ん中（平面上部中芯と、其の高さの約半分）に架することが出来、全体の安定が良い。（又支承の、上部定盤の厚みを薄く出来、材料と工費の節約が出来る）。【選択図】図１
2014092024.tif 000002
【特許請求の範囲】
【請求項１】
図１〜８の  建物を支える鋼球コロ付き下部定盤と、６の復元のための中心が逆凹球皿状の上部定盤、７の４本のダンパから成るコンパクトにまとめた免震ブロク
【請求項２】
図１〜６の  上部定盤を境に、７のダンパーを上下に２分割、其の比率を変えるこで地震時のダンパーの傾きを少なく押さえ、ダンパーの姿勢復元を俊敏にした事。
【請求項３】
図１〜６の上部定盤及び９の下部定盤と７の４本のダンパーの交点は、
全てボールジョイントで、全ての方向に傾き６の、中心が逆凹皿状の上部定盤と相俟って、地震（震源）の方向を問わない事。
【請求項４】
他への応用
用途に応じ各部品の強度を変えて（積載加重具備）地震観測カメラなどの架台に使える。
（１箇所４台必要）
【発明の詳細な説明】
【技術分野】
【０００１】本発明は一般木造建築の免震装置に関する物である。
【背景技術】
【０００２】
【先行技術文献】
【特許文献】
【０００３】
【特許文献１】
【特許文献２】
【非特許文献】
【０００４】
【非特許文献１】公開特許広報  特開平０３−２４９４４５（三菱製鋼株式会社）
【非特許文献２】特開２００２−７０３５８（清水建設）
【発明の概要】
【発明が解決しようとする課題】
【０００５】従来の免震支承は、鋼球コロと逆凹球皿面との組み合わせにダンパーを組合わせ、又は別置の物があった。
この鋼球コロと逆凹球皿面との組み合わせの４隅に、４本のダンパを配することでコンパクトにまとめた免震支承を、発明した。（以降免震ブロックと言う）
【発明の効果】
【０００６】この免震支承は、地震の動きで４本のダンパーが等しくはたらき、間接的に地震の揺り返しのショックを建物に緩く伝え、自然の力で（重力と引力の均衡）で元に戻り、地震から建物を守る要素をすべて備えた免震支承で有る。
本発明の免震支承は、木造建築の基礎と、床の、間に納まるコンパクトにまとめた物で、且つ地震の方向性を問わない，従って建物に対する配置がしやすい。
１棟の建物（建坪６６ｍ２）に３０台以上の支承を整然と配置することで、建物を乗せる架台の断面を小さく押さえることが出来（軽量化）、工事を容易にする。静止時は勿論、地震時に建物に対する安定性が良く、風の対策もなされ、画期的なものである。
【図面の簡単な説明】
【０００７】
【図１】本発明の実施形態を示す全体の静止断面図
【図２】地震時、負荷の掛かった断面図
【図３】本発明の実施形態を示す全体の静止平面図
【図４】地震時、負荷の掛かった平面面図
【図５】地震時４５°方向から負荷の掛かった平面図
【図６】免震支承に建物を乗せた図
【図７】建物への免震支承配置図
【図８】建物を乗せる架台の配置図
【発明を実施するための形態】
【０００８】以下、本発明の実施の形態を図１〜２図に基ずいて説明する。
【０００９】１は、ダンパーのスプリングの固定ナツトで、圧力計を用いて
スプリングの初期の圧力を均一に調整し且つＷナットで固定するための物である。
【００１０】２は、上部スプリング押さえワッシャーで、１の、ナットにスブリングの力を平均に伝える為の物である。
【００１１】３は、ダンパのスプリング、６の、上部定盤の上で（地震によって）伸縮拡張を繰り返し建物に揺り返しのショックを緩く伝える為のものである。
【００１２】４は、下部スプリング押さえワッシャー  スプリングの力を上部ボールジョイントに平均に伝える為の物である。
【００１３】５は  上部ボールジョイント、（中心にダンパーの芯が貫通し上下にフリーになっている、手のひらで鉛筆を握った状態）地震時ダンパーの伸縮と傾きを全方向から受け止めることが出来る構造になっている。
【００１４】６は、上部定盤、中心部が逆凹球皿状になっていて、８の、コロ付き建物荷受台と組み合って、地震の動きを全方向から受け止める。又上部定盤が逆凹皿状なので経年の塵などが付着せず、メンテナンスが不要。
【００１５】７は、ダンパー（軸）下部は１０の、ボールジョイントと一体になっている。
【００１６】８は、建物荷受台、６の、上部定盤と組み合って地震の動きを全方向から受け止める。
【００１７】９は、下部定盤、８の建物荷受台と繋結され基礎とアンカーボルトで一体になっている、又４隅にダンパー取り付けホールが有り、１０の、下部ボールジョイント  が納まるように成っている。
【００１８】１０は、下部ボールジョイントで、９の下部定盤とリンクし、地震時、全方向に傾倒する。
【実施例】
【００１９】
【産業上の利用可能性】
【００２０】本発明は、上述のようにコンパクトにまとめた免震支承で、新築の木造及び軽量鉄骨造の建物の基礎と床の間に装着できるので、大きな需要が期待できる。又此れを取り付ける条件として、頑丈な一体基礎と、建物を乗せる架台が必要で
１棟の建物で、乗用車４台以上の鉄材が必要で、一つの産業として期待できる。
又建物が地震によって壊れないので、（近年の屋根と外装の耐水性と相まって）半永久に持ち、資源の無駄を防ぎ自然環境に貢献できる。
【符号の説明】
【００２１】図１の符号の説明
５    上部ボールジョイント
６    上部定盤
７    ダンパー
８    コロ付き建物荷受台
９    下部定盤
１０    下部ボールジョイント
【図１】
2014092024.tif 000003
【図２】
2014092024.tif 000004
【図３】
2014092024.tif 000005
【図４】
2014092024.tif 000006
【図５】
2014092024.tif 000007
【図６】
2014092024.tif 000008
【図７】
2014092024.tif 000009
【図８】
2014092024.tif 000010
(57)【要約】【課題】台所や流し台の隅等に置いて有る生ゴミ入れ等に群がっているコバエを捕獲でき、しかもゴミは残し、コバエのみを捕獲できる用具を提供する。【解決手段】コバエが簡単に通る程度の大きさの穴を無数に設けた板を先端部に設け、ややテーパーに成った差込パイプ部にて、太さの違った掃除機パイプにも取り付け使用することが可能な、コバエ捕獲器。【選択図】図１
2014045772.tif 000002
【特許請求の範囲】
【請求項１】
電気掃除機のホース先端部分に差し込むことで接続可能な差込パイプ部を持ち、先端が椀状に広がり、その内側前面に無数の細かい穴を設けた板を設けたことを特徴とする、コバエ捕獲器。
【発明の詳細な説明】
【技術分野】
【０００１】  本発明は、台所流し台の三角形ゴミ入れ内の生ゴミや、テーブル上に置いて有る食品等に集っているコバエを捕獲する為に、掃除機のホース先端に取り付けて使用する、コバエ捕獲器に関するものである。
【背景技術】
【０００２】  従来、台所流し台などに集まって来る沢山のコバエを捕獲するには、薬品等を使い、薬品の臭いに寄って来たコバエを集めて捕獲するか、又は掃除機のホース先端パイプ部分で直接コバエを吸って捕獲する場合が多かった。
【先行技術文献】
【特許文献】
【０００３】
【特許文献１】特開２０１２−０５５１８７
【発明の概要】
【発明が解決しようとする課題】
【０００４】  そのために次のような問題点があった。
薬品等を使いコバエを集めて捕獲するやり方は、ひと夏に何度も薬品を取り替えたり、用具の掃除なども度々しなければならず煩わしかった。又、掃除機ホースのパイプ部分で直接吸って捕獲するにはパイプの直径が細く効率が悪く、逆にパイプで生ゴミを吸い込むことが多々有った。
本発明は以上の問題点を解決するためになされたものである。
【課題を解決するための手段】
【０００５】  電気掃除機のホース先端部分に差し込むことで接続可能な差込パイプ部を持ち、先端がお椀状に広がり、その内側前面に無数の細かい穴を設けた板を設けたことを特徴とする、コバエ捕獲器である。
【発明の効果】
【０００６】  台所流し台の三角ごみ入れ等に溜まった生ごみ等は吸わず、集まっているコバエのみを吸い取ることが出来、同じようにテーブル上やタイル等に止まっているコバエも簡単に吸い込み捕獲することができる。
尚、掃除機ホースの直径サイズは同一でない為、差し込みパイプ部に持たせたテーパーにより違ったサイズのパイプにも使用することが可能な、コバエ捕獲器である。
【発明を実施するための最良の形態】
【０００７】  以下、本発明の実施の形態について説明する。
（イ）テーパーを持たせた差し込みパイプ部（３）を、掃除機ホース先端のパイプ部（４）に差し込み、スイッチを入れた掃除機ホース先端のパイプ部（４）を手で持ち、前面部（２）を台所流し台内の三角ごみ入れに集まっているコバエに近づける。
（ロ）同じ要領でテーブルや、タイル壁面、流し台足元等に設置してあるごみ袋等コバエの居る所に近づけて吸い取り、捕獲する。
本発明は、以上の構成によりなっている。
【図面の簡単な説明】
【０００８】
【図１】本発明の全体の斜視図。
【図２】本発明の差込部を掃除機ホースパイプにセットした状態図。
【図３】本発明の捕獲器前面部を、三角ごみ入れに近づけた状態図。
【図４】本発明の捕獲器を使用中状態の流し台全体図。
【符号の説明】
【０００９】１  本体
２  前面部
３  差込パイプ部
４  掃除機パイプ部
５  掃除機ホース部
６  三角ごみ入れ
７  流し台
【図１】
2014045772.tif 000003
【図２】
2014045772.tif 000004
【図３】
2014045772.tif 000005
【図４】
2014045772.tif 000006
(57)【要約】【課題】自作の船釣りの仕掛けのハリスを容易に保管できるようにし、如何に船上で迅速に釣り竿側に組み付け、仕掛けの長さを釣り場の状況に応じたハリスに交換するための容易迅速さを目的とする。【解決手段】薄板を約６０°位にくの字型に曲げた二面のうちの一方の面上にスプールの中心穴に挿入するパイプを一面上中央に垂直に設け、くの字に曲げた面の先端からもう一方の面側の内側に一枚の板を垂直に当て溶着をした台座と、スプールには単一型スプールとマット付き二重スプールの二種類があり、どちらもスプールの平面上には数箇所に小さく切った同種の面ファスナーを貼り付け、その面ファスナーの上に釣り針を固定するための具を付着させ、ハリスの交差を防ぎスムーズにハリスを引き出すことを目的とする。【選択図】図２
2014045767.tif 000002
【特許請求の範囲】
【請求項１】
くの字型に曲げた台座の一面上の中央部にスプールを装着するパイプを垂直に設け、釣り船の外反手摺上に固定出来るように一枚の板を橋渡しをして溶着したスプールと台座。
【請求項２】
スプール片面上に面ファスナーを設け、相反する面ファスナーを貼った釣り針を固定するための釣り針挟み具と釣り針止め具を設けた請求項１のスプールと台座。
【発明の詳細な説明】
【技術分野】
【０００１】  本発明は、自作で作成した仕掛けの長いハリスを巻いて保持して置く用途と、釣りをする際に釣り竿に容易に迅速に組み付けられることを目的としたスプールと台座に関するものである。
【背景技術】
【０００２】  スプールについては道糸というものが巻かれていて市販されている。
スプールについては原理が似ていて仕掛けのハリスを巻いて市販されているものが有る。
【先行技術文献】
【０００３】
【特許文献１】特開２００８−１６７７２８号公報
【発明の概要】
【発明が解決しようとする課題】
【０００４】  従来の市販されているものは、販売品袋のハリスセットされているスプールから仕掛けを釣り竿に組み付けるというもので、組み付ける作業に手間がかかり、しかも自作のハリスを巻いたものを船上で釣り竿側に容易に或は迅速には組み付けられるものは無かった。
本発明は、以上の問題点を解決するものである。
【課題を解決するための手段】
【０００５】  台座は長方形の薄板をくの字型に曲げ、一方の面上中央にスプールを挿入するパイプを設ける。
スプールの片面上には面テープを円周に沿う状態に数ミリの幅のものを貼り、相反した面テープを貼った釣り針止め具若しくは、釣り針挟み具を付着する。
以上の構成よりなるスプールと台座。
【発明の効果】
【０００６】  本発明の仕掛けのハリスを巻いたスプールと台座を組み合わせて一対で使用することで船上で手間もかからず簡単で迅速にスプールの交換が出来、容易に釣り竿側にセットができるので釣りの作業が効率よく出来、釣りに集中できる。
【図面の簡単な説明】
【０００７】
【図１】本発明の斜視図
【図２】本発明の使用状態を示す斜視図
【図３】本発明の単一スプールの斜視図
【図４】本発明のマット付き二重スプールの斜視図
【発明を実施するための形態】
【０００８】  以下、本発明の実施の形態を説明する。
（イ）台座（１）は例えば厚み１ｍｍ位の長方形の板長さ３２０ｍｍ幅１１０ｍｍ（アルミ板或はプラスチック板を、一方は例えば１８０ｍｍの長さを取り、もう一方は例えば１４０ｍｍの長さを取り、くの字型にほぼ約６０°位に曲げる。
（ロ）くの字型に曲げた台座（１）の内側に補強板（２）を設ける。
（ハ）この板（２）は釣り船の外板の手摺り上に台座（１）を置く時に当たる部分となるのである。
（ニ）くの字型に曲げた板のＢ面（１９）の中央部にスプール（１６）及び（１７）の中心穴を通すパイプ（２）を設ける。
（ホ）パイプ（２）の上端にはスプールの脱落防止用にゴム栓（４）を設ける。
（ヘ）台座（１）の１８Ａ面には面ファスナー（７）と、ハリス挟み具（６）を任意の位置に設ける。
（ト）面ファスナー（７）は、釣りを開始する際に船長の指示する棚を台座（１）に書いたり消したりするサインペンを付着させるためのものである。
（チ）単一スプール（１６）は、スプールの片面の平面の上に８等分（若しくは円周でもよい）、をした箇所の上に８枚の同一の面ファスナー（１３）を貼りつける。  この面ファスナー（１３）は釣り針挟み具（９）及び釣り針止め具（８）を付着させるためのものである。
（リ）マット付二重スプール（１７）は単一スプール（１６）をマット（１５）の両側に貼り付け設けたものである。
本発明は以上のような構造である。
【０００９】  本発明を使用する時は、自分自身で作成した仕掛けのハリスを単一スプール（１６）、又は、マット付二重スプール（１７）にスプールの切欠き（２０）と、マット（１５）に切欠き（２０）があるのでそこにスイベルジョイント（１２）を引っ掛けて巻いていく。  そして釣り針（１０）が来るので釣り針挟み具（９）、若しくは釣り針止め具（８）に掛けて保持をする。
そして釣りをする際、図２に示すように組み付ける時は単一スプール（１６）或はマット付き二重スプール（１７）を台座（１）のパイプ（２）にファスナー（１３）の面を上にしてセットする。
そしてスイベルジョイント（１２）を外して他の器具等に接続すれば完了である。
（ヌ）釣り針挟み具（９）はどちら側でもスプール上の面ファスナー（１３）に付着させられるように面ファスナーを貼り付けてあり、釣り針（１０）を掴む具である。
（ル）釣り針止め具（８）は、釣りを長期に使用しない時等に使用するものである。
形状は凡そスポンジを長さ８０ｍｍ、１０ｍｍ×１０ｍｍ角の端に１０ｍｍ×１０ｍｍの面ファスナー（１４）を接着したものである。
【符号の説明】
【０００１０】  １台座、２板、３パイプ、４ゴム栓、５挟み固定具、６ハリス挟み具、７面ファスナー  ８釣り針止め具、９釣り針挟み具、１０釣り針、１１ハリス、１２スイベルジョイント  １３面ファスナー、１４面ファスナー、１５マット、１６単一スプール、１７マット付  二重スプール、１８Ａ面、１９Ｂ面、２０切欠き
【図１】
2014045767.tif 000003
【図２】
2014045767.tif 000004
【図３】
2014045767.tif 000005
【図４】
2014045767.tif 000006
(57)【要約】【課題】従来の造血器腫瘍の遺伝子診断は、オーダーメイドのものであった。このような従来の検査が有していた問題を解決し、一般臨床へのレディーメイド化を実現することを目的とする。【解決手段】ＩｇＨ遺伝子は、基本のＶＤＪ領域の再構成後のＶ・Ｄ・Ｊ接合体（ＣＤＲＩＩＩ）を、サザン法では、Ｊ領域に対するＪＨプローブ（ＬＪＨ，ＶＬＪＨ）を使用し、ＰＣＲ法では、Ｖ領域に対するプライマーＦＲ３ＡとＪ領域に対するプライマーＬＪＨとＶＬＪＨを使用したＳｅｍｉ−Ｎｅｓｔｅｄ  ＰＣＲ法を用いた。ＴＣＲ遺伝子は、基本のＶＤＪ領域の再構成後のＶ・Ｄ・Ｊ接合体（Ｖδ１・Ｄ・Ｊδ１）を、Ｖ領域中のＶδ１に対するプライマーＤ３とＪ領域中のＪδ１に対するプライマーＤ４、Ｖ領域の外側に対するプライマーＤ１とＪ領域の外側に対するプライマーＤ６を使用したＮｅｓｔｅｄ  ＰＣＲ法を用いた。これにより、検査法の自動化と検査キットが完成でき、一般臨床の現場でレディーメイド化できる。【特許請求の範囲】
【請求項１】
ＩｇＨ（Ｉｍｍｕｎｏｇｌｏｂｕｌｉｎ  Ｈｅａｖｙ  Ｃｈａｉｎ）遺伝子は、Ｇｅｒｍ  ｌｉｎｅでは、Ｖ領域（Ｖ１，Ｖ２・・Ｖｎ）、Ｄ領域（Ｄ１，Ｄ２・・Ｄｎ）、Ｊ領域（Ｊ１，Ｊ２・・Ｊｎ）であり、再構成後にＩｇＨ遺伝子特有のＶ・Ｄ・Ｊ接合体（ＣＤＲＩＩＩ）ができる。この特有の接合体を検出するために、サザン法では、Ｊ領域に対するＪＨプローブ（ＬＪＨ，ＶＬＪＨ）を使用し、ＰＣＲ法では、Ｖ領域に対するプライマーＦＲ３ＡとＪ領域に対するプライマーＬＪＨとＶＬＪＨを使用した。ＴＣＲ（Ｔ  Ｃｅｌｌ  Ｒｅｃｅｐｔｏｒ）遺伝子は、Ｇｅｒｍ  ｌｉｎｅでは、Ｖ領域（Ｖδ１，Ｖδ２・・Ｖδｎ）、Ｄ領域（Ｊδ１，Ｊδ２，Ｊδ３）、Ｊ領域（Ｊδ１，Ｊδ２・・Ｊδｎ）であり、再構成後にＴＣＲ遺伝子特有のＶ・Ｄ・Ｊ接合体（Ｖδ１・Ｄ・Ｊδ１）ができる。この特有の接合体を検出するために、ＰＣＲ法で、Ｖ領域中のＶδ１に対するプライマーＤ３とＪ領域中のＪδ１に対するプライマーＤ４、Ｖ領域の外側に対するプライマーＤ１とＪ領域の外側に対するプライマーＤ６を使用した。以上のように、本実施形態によれば精度の高いレディーメイド検査を実現することができる造血器腫瘍の遺伝子診断。
【請求項２】
さらに検出感度を高めるために、Ｎｅｓｔｅｄ  ＰＣＲ法を設けた請求項１記載の造血器腫瘍の遺伝子診断。
【発明の詳細な説明】
【技術分野】
【０００１】本発明は、一般臨床への普及を図った造血器腫瘍の遺伝子診断に関する。
【背景技術】
【０００２】従来の造血器腫瘍の遺伝子診断は、衛生検査所等でのオーダーメイドのものがある。
【先行技術文献】
【０００３】
【非特許文献１】「造血器腫瘍の遺伝子診断」、第６１回日本医学検査学会、講演予稿集２０１２年ウェブサイト：ｈｔｔｐ：／／ｊａｍｔｓ．ｊａｍｔ．ｏｒ．ｊｐ／ｊａｍｔｉｓ／ｃｏｍｍｏｎ／ｇｋ＿ｋａｎｒｉ／ｓｒ＿ｐｄｆ／００００  １３１１３２ｒａｄＦ９３２Ｂ００００．ｐｄｆ
【発明の概要】
【発明が解決しようとする課題】
【０００４】従来の造血器腫瘍の遺伝子診断は、オーダーメイドのものである。【０００５】本発明は、このような従来の検査が有していた問題を解決しようとするものであり、一般臨床へのレディーメイド化を実現することを目的にする。
【課題を解決するための手段】
【０００６】そして、本発明は上記目的を達成するために検査法の自動化と検査キットの完成を設けたものである。【０００７】また、第２の課題解決手段は、Ｎｅｓｔｅｄ  ＰＣＲ法を用いたものである。【０００８】上記第１の課題解決手段による作用は次の通りである。すなわち、検査法の自動化と検査キットの完成において、一般臨床の現場でレディーメイド化できる。【０００９】また、第２の課題解決手段による作用は、Ｎｅｓｔｅｄ  ＰＣＲ法を用いたことにより検査方法が簡素化されるため、さらに一般臨床の現場でレディーメイド化できるという効果を発揮する。
【発明の効果】
【００１０】上述したように本発明の造血器腫瘍の遺伝子診断は、一般臨床の現場でレディーメイド化することができ、一般臨床での精度が高いレディーメイド検査を提供できる。【００１１】また、Ｎｅｓｔｅｄ  ＰＣＲ法を用いたため、さらに精度が上昇するという効果を発揮するものである。
【発明を実施するための形態】
【００１２】以下、本発明の実施形態を説明する。
【００１３】ＩｇＨ（Ｉｍｍｕｎｏｇｌｏｂｕｌｉｎ  Ｈｅａｖｙ  Ｃｈａｉｎ）遺伝子は、Ｇｅｒｍ  ｌｉｎｅでは、Ｖ領域（Ｖ１，Ｖ２・・Ｖｎ）、Ｄ領域（Ｄ１，Ｄ２・・Ｄｎ）、Ｊ領域（Ｊ１，Ｊ２・・Ｊｎ）であり、再構成後にＩｇＨ遺伝子特有のＶ・Ｄ・Ｊ接合体（ＣＤＲＩＩＩ）ができる。
【００１４】この特有の接合体を検出するために、サザン法では、Ｊ領域に対するＪＨプローブ（ＬＪＨ，ＶＬＪＨ）を使用し、ＰＣＲ法では、Ｖ領域に対するプライマーＦＲ３ＡとＪ領域に対するプライマーＬＪＨとＶＬＪＨを使用した。
【００１５】さらに、検出感度を高めるために、Ｓｅｍｉ−Ｎｅｓｔｅｄ  ＰＣＲ法を用いた。
【００１６】ＴＣＲ（Ｔ  Ｃｅｌｌ  Ｒｅｃｅｐｔｏｒ）遺伝子は、Ｇｅｒｍ  ｌｉｎｅでは、Ｖ領域（Ｖδ１，Ｖδ２・・Ｖδｎ）、Ｄ領域（Ｊδ１，Ｊδ２，Ｊδ３）、Ｊ領域（Ｊδ１，Ｊδ２・・Ｊδｎ）であり、再構成後にＴＣＲ遺伝子特有のＶ・Ｄ・Ｊ接合体（Ｖδ１・Ｄ・Ｊδ１）ができる。
【００１７】この特有の接合体を検出するために、Ｖ領域中のＶδ１に対するプライマーＤ３とＪ領域中のＪδ１に対するプライマーＤ４、Ｖ領域の外側に対するプライマーＤ１とＪ領域の外側に対するプライマーＤ６を使用する。
【００１８】さらに、検出感度を高めるために、Ｎｅｓｔｅｄ  ＰＣＲ法を用いた。以上のように、本実施形態によれば精度の高いレディーメイド検査が実現するものである。
(57)【要約】【課題】パルス幅が数十ナノ秒のパルスパワーをキュベットに印加して、細胞内部に電界を印加できるようにした、ナノ秒パルスパワー印加装置を提供する。【解決手段】キュベットへのナノ秒パルスパワー印加装置は、図１に示されるように、磁気パルス圧縮方式の高繰り返しパルスパワー発生部１の出力をパルスパワー印加部２内に置かれたキュベット５に印加する。キュベット内に入れられた細胞にパルス幅が数十ナノ秒のパルスパワーが印加されることにより、細胞内部に電界印加が可能となる。【選択図】図１
2014045909.tif 000002
【特許請求の範囲】
【請求項１】
パルス幅が数十ナノ秒と短いパルスパワーをキュベットに印加するナノ秒パルスパワー印加装置。
【請求項２】
パルスパワー発生部とキュベットへの印加部を内蔵したナノ秒パルスパワー印加装置。
【請求項３】
キュベットへの印加部は取り出しができ、クリーンベンチ内で無菌操作ができるようにしたナノ秒パルスパワー印加装置。
【請求項４】
パルスパワーのショット間隔、出力電圧、ショット数を設定できるナノ秒パルスパワー印加装置。
【請求項５】
キュベットへ印加するパルスパワーの最大電圧と最大電流をショット後表示できるようにしたナノ秒パルスパワー印加装置。
【発明の詳細な説明】
【技術分野】
【０００１】
本発明は、キュベットにパルス幅が数十ナノ秒のパルスパワーを印加できるようにしたナノ秒パルスパワー印加装置に関するものである。
【背景技術】
【０００２】
キュベットに電界を印加する装置として、パルス幅が５０マイクロ秒から１秒、印加電圧として最大３ｋＶの製品がある。
【０００３】
キュベットに電界を印加する装置は、主に細胞の電気穿孔機として使われている（例えば、特許文献１及び特許文献２参照）。
【先行技術文献】
【特許文献】
【０００４】
【特許文献１】特開2011-240115
【非特許文献】
【０００５】
【非特許文献１】特開 平11-018770
【発明の概要】
【発明が解決しようとする課題】
【０００６】
パルス幅が５０マイクロ秒以上の電圧をキュベットに印加するとキュベット内細胞膜にのみ電界がかかることが知られており、電気穿孔機として使われている。しかしながら、細胞膜以外にも、核膜や細胞質、核質、ＤＮＡ，細胞小器官に直接電界を印加することが求められており、パルス幅が数十ナノ秒のナノ秒パルスパワー印加装置を提供することが課題となっている。
【０００７】
この発明は、上記のような課題に鑑み、その課題を解決すべく創案されたものであって、その目的とするところは、パルス幅が数十ナノ秒で高電圧・大電流のパルスパワーをキュベットに印加する装置を提供する。
【課題を解決するための手段】
【０００８】
磁気パルス圧縮方式のパルスパワーを用いて、パルス幅が数十ナノ秒のパルスパワーを発生し、キュベットに印加することにより、細胞内部に電界を印加する。
【０００９】
磁気パルス圧縮方式のパルスパワー発生部とキュベットへの印加部を一つの容器に内蔵して安全性を高め、キュベットへの印加部は取り出しができるようにして、クリーンベンチ内で無菌操作ができるようにし、パルスパワーのショット間隔、出力電圧、ショット数を容易に可変とし、更にキュベットへのパルスパワーの最大印加電圧と最大負荷電流をショット後表示できるようにすることにより、パルスパワーの専門家でなくても安全に容易にナノ秒パルスパワー印加装置を操作できるようにした。
【発明の効果】
【００１０】
本発明によれば、キュベットに印加するパルスパワーのパルス幅が数十ナノ秒、印加電圧３０ｋＶまで可変、電流１ｋＡまで可変のナノ秒パルスパワー印加装置によって、細胞内部に電界を印加可能である。
【００１１】
パルスパワー発生部とキュベットへのパルスパワー印加部を一つの容器に内蔵することにより、高電圧に対する安全が高められ、配線が不要なため、取り扱いが容易である。また、パルスパワーのショット間隔、出力電圧、ショット数を可変とし、更にキュベットへのパルスパワーの最大印加電圧と最大負荷電流をショット後表示できるようにすることにより、パルスパワーの専門家でなくてもナノ秒パルスパワー印加装置の操作が容易となる。
【００１２】
キュベットへのパルスパワー印加部は取り出しができるようにして、クリーンベンチ内で無菌操作ができるようにすることにより、キュベットへのコンタミネーションを防ぐことが可能となる。
【図面の簡単な説明】
【００１３】
【図１】本発明にかかるナノ秒パルスパワー印加装置の外観図である。
【図２】パルスパワー発生部とキュベットへのパルスパワー印加部、及び制御部からなるナノ秒パルスパワー印加装置の写真である。
【図３】ナノ秒パルスパワー印加装置から取り出した時のパルスパワー印加部の写真である。
【図４】キュベットにかかる電圧と電流の典型的な波形である。
【発明を実施するための形態】
【００１４】
本発明の実施形態について図面を参照して説明する。図１に、本発明に係るパルス幅が数十ナノ秒のナノ秒パルスパワー印加装置の実施形態を示す。図1において、パルスパワー発生部１の出力線をキュベットを差し込むパルスパワー印加部２に接続する。パルスパワー発生部とパルスパワー印加部は一つの容器３に内蔵される。
【００１５】
パルスパワー発生部１は、充電電源４によって駆動された磁気パルス圧縮方式の高繰り返しパルスパワー発生部である。
【００１６】
キュベット５はパルスパワー印加部２に挿入され、安全装置付きふた６をすると、安全装置が外れ、キュベットへのパルスパワー印加が可能となる。
【００１７】
パルスパワー発生部１をパネル上で制御することにより、印加電圧３０ｋＶまで可変、電流３００Ａまで可変、印加周波数５００Ｈｚまで可変、ショット数１００００ショットまで可変或いは連続動作も可変としている。
【実施例】
【００１８】
図２は、ナノ秒パルスパワー印加装置の写真である。パネル上で制御し、印加電圧３０ｋＶまで可変、電流１ｋＡまで可変、印加周波数５００Ｈｚまで可変、ショット数１００００ショットまで可変或いは連続動作も可能である。
【００１９】
図３に、ナノ秒パルスパワー印加装置から取り出したキュベットへのパルスパワー印加部の写真を示す。パルスパワー印加部をクリーンベンチに入れることにより、キュベットの無菌操作が可能となっている。パルスパワー印加部をナノ秒パルスパワー印加装置に内蔵させた後ふたをすることにより、安全装置が外れ、キュベットへのパルスパワー印加が可能となっている。
【００２０】
図４はキュベットで測定された典型的な電圧波形と電流波形である。
【００２１】
キュベットに細胞を入れることにより、細胞内部に電界が印加され、アポトーシス誘導、ナノグ遺伝子の発現、殺菌、酵母の活性化等、多くの成果が得られている。
【符号の説明】
【００２２】
１・・・パルスパワー発生部
２・・・パルスパワー印加部
３・・・容器
４・・・充電電源
５・・・キュベット
６・・・安全装置付きふた
【図４】
2014045909.tif 000003
【図１】
2014045909.tif 000004
【図２】
2014045909.tif 000005
【図３】
2014045909.tif 000006
(57)【要約】【課題】高所の被災者の下へ地上から救助者を浮かせられるバルーンに乗り、補助ロープを使って地上から要救助者の下に誘導し、救助者が持っていった拘束具で要救助者を確保し、救助者と拘束具で繋ぎ、用救助者に飛び降りてもらう事で、１人分の浮力に２人がぶら下がる事で降下する救助具を提供する事にある。【解決手段】中高層のビルで要救助者が発生した場合に、建物の外から救助者が要救助者の下へ行く手段としてはしご車しかなく、それ以上の高さではどうにも施しようがなく、また、はしご車が来るまでに暑さに耐え切れず、身を投げていたのが現状で、緊急車にバルンの装備がしてあればはしご車以外の緊急車両でも救助が行える装備として、救助者１人を浮かせられるバルンで要救助者のもとへ行き、要救助者を救助者にぶら下げることで、降下させる。【選択図】図１
2014045824.tif 000002
【特許請求の範囲】
【請求項１】
軽い気体を持って高所に人を送り、更に要救助者の重量を持って降下する防災器具を提供する。
【請求項２】
地上から屋上へと建築物の外から人を送り、屋上から地上へぶら下がった人を降下させることが出来る。
【請求項３】
ビルの屋上から屋上へと人と補助ロープを運び、補助ロープで策動を構築することで、物資も運べる。
【請求項４】
屋上から浮上させ、建築物を外れたところから、降下操作で、地上に下ろす。
【発明の詳細な説明】
【技術分野】
【０００１】
本発明は中高層の建造物で火災に際し煙が出ている窓やベランダで助けを求める人々に、救助者がバルンを使用し、用救助者の居る窓やベランダへ一人分の重量を持ち上げるバルンで急行し、救助者に用救助者をぶら下げることで、降下が始まる救助具に関するものである。
【背景技術】
【０００２】
中高層の建築火災で要救助者が身を乗り出して助けを求める映像を見、建造物の外から救助者が登って行き、助けられないものかと思案していて、バルンを使用すれば要救助者の所に救助者が行けるのではと考え、更に一人の重量を浮かせ、2人なら降下するばるんなら、容易に救助が出来る物品を提供する。
【発明の概要】
【発明が解決しようとする課題】
【０００３】
高所の被災者の下へ地上から救助者を浮かせられるバルーンに乗り、補助ロープを使って地上から要救助者の下に誘導し、救助者が持っていった拘束具で要救助者を確保し、救助者と拘束具で繋ぎ、用救助者に飛び降りてもらう事で、１人分の浮力に２人がぶら下がる事で降下する救助具を提供する事にある。
【課題を解決するための手段】
【０００４】
中高層のビルで要救助者が発生した場合に、建物の外から救助者が要救助者の下へ行く手段としてはしご車しかなく、それ以上の高さではどうにも施しようがなく、また、はしご車が来るまでに暑さに耐え切れず、身を投げていたのが現状で、緊急車にバルンの装備がしてあればはしご車以外の緊急車両でも救助が行える装備として、救助者１人を浮かせられるバルンで要救助者のもとへ行き、要救助者を救助者にぶら下げることで、降下させる。
【発明の効果】
【０００５】
一人の救助者を屋外から建造物の高所へ送り込む装置がなく、消防の建前から行けば建造物の屋上の出入り口は無施錠を義務付けてますが、建造物も高くなり、はしご車も届かない建造物が立ち並び、地上から屋上へ行くことが出来ませんでした。ホテル火災では救助が間に合わず、建造物から暑さに耐えかね飛び降りる人も居り、救助者がバルンで上がってきて、要救助者が一人でも多く助かる方法として救難用バルンを提供するものである。
【図面の簡単な説明】
【０００６】
【図１】救難用バルン本体（１）は救助者が装着する救助具である。
【図２】救難用バルンの使い方を説明した図である。
【発明を実施するための形態】
【０００７】
救難用バルンは燃えにく軽く丈夫な素材で作り、バルン本体（１）と救助者を吊り上げるハーネス（９）の部分からなり、救助用バルン本体（１）は救助者１人を上空に持ち上げ、バルン誘導補助ロープ（３）とハーネス誘導補助ロープ（１０）で要救助者のもとへ救助者を誘うもので、バルン本体（１）は救助者に近づくためには、縦長の形状で、建物に手で触れられる太さに近いものが要求され、なお、１人が浮かせられる容量のガスが入る物を作成し、バルン本体（１）の下方には、吸気口（７）を設け、膨らませるときには大型のボンベからガスを入れ、膨らんでからは、がス補充ボンベ（６）に繋ぎなおし、気温の差でのがス委縮調整用に設け、バルン本体（１）の下方中段（一人分の体重でもゆっくり降りられる１、２割のガスを減らす為の）にはガス排気弁（２）を設け、ガス排気弁には１人の体重でも若干のガスを抜いて降りられるようにがス排気紐（４）で調整できるように設け、バルン本体（１）を救助者のハーネス（９）に吊ワイヤーやロープ（５）で結び、救助者を吊り上げ、救助者のハーネス（９）には、地上から救助者を要救助者のもとへ誘うとともに、飛んでいかないように設けた救難用バルンである。
【実施例】
【０００８】
本発明は、地上から中高層の建築物の屋上に人を送り込むことが可能な器具として開発し、ビルの屋上から、他のビルの屋上へ、地上へと1人の人を運ぶ事が可能な器具を提供することにある。
【産業上の利用可能性】
【０００９】
器具を作ることで生産による雇用が生まれ、災害時に高所に人を送り込むことで、人命の救助に役立てる器具になるだろう。
【符号の説明】
【００１０】
１  バルン本体
２  がス排気弁
３  バルン誘導補助ロープ
４  ガス排気弁
５  吊ワイヤー、ロープ
６  がス補充ボンベ
７  がス吸気口
８  吸気紐
９  ハーネス
１０  ハーネス誘導補助ロープ
【図１】
2014045824.tif 000003
【図２】
2014045824.tif 000004
(57)【要約】【課題】この発明は、眼鏡の左右のそれぞれのつるの耳にかかる部分等、適時場所に凹状のガイド部を設け、そのガイド部にマスクの紐を通すことによって、直接紐が耳の裏側に当たらないようにして痛くなるのを防止する眼鏡フレームである。【解決手段】眼鏡の左右それぞれのつるの耳に当たる部位等、適時場所（１）と（１）’の上部に、凹状のガイド部（２）と（２）’を設け、マスク（３）をする時に、マスクの紐（４）と（４）’を左右それぞれ、凹状のガイド部（２）と（２）’に通し、マスクの紐（４）と（４）’が直接耳の後ろに当たらないようにして、紐が擦れて耳の後ろが痛くならないようにできる眼鏡フレームである。尚、凹状のガイド部は、つるの下部又は外側側部に設けてもいい。【選択図】図２
2014197178.tif 000002
【特許請求の範囲】
【請求項１】
眼鏡の左右のそれぞれのつるの耳にかかる部分等、適時場所に凹状のガイド部を設け、そのガイド部にマスクの紐を通すことによって、直接紐が耳の裏側に当たらないようにして痛くなるのを防止する眼鏡フレームである。
【発明の詳細な説明】
【発明の詳細な説明】
【技術分野】
【０００１】この発明は、眼鏡の左右のそれぞれのつるの耳にかかる部分等、適時場所に凹状のガイド部を設け、そのガイド部にマスクの紐を通すことによって、直接紐が耳の裏側に当たらないようにして痛くなるのを防止する眼鏡フレームである。
【背景技術】
【０００２】従来は、マスクの紐を耳に直接かけるしかなかった。
【発明が解決しようとする課題】
【０００３】耳かけ紐により耳の周辺が擦れて炎症を起こし痛くなるのを防止するもの。
【課題を解決するための手段】
【０００４】（イ）本物件は、眼鏡の左右それぞれのつるの耳に当たる部位等、適時場所（１）と（１）’の上部に、凹状のガイド部（２）と（２）’を設けたフレームである。
尚、凹状のガイド部は、つるの下部又は外側側部に設けてもいい。
（ロ）マスク（３）をする時は、マスクの紐（４）と（４）’を左右それぞれ、凹状のガイド部（２）と（２）’に通し、マスクの紐（４）と（４）’が直接耳の後ろに当たらないようにする。
【発明を実施するための形態】
【０００５】      以下、本発明の実施の形態について説明する。
（イ）本物件は、眼鏡の左右それぞれのつるの耳に当たる部位等、適時場所（１）と（１）’の上部に、凹状のガイド部（２）と（２）’を設けたフレームである。
尚、凹状のガイド部は、つるの下部又は外側側部に設けてもいい。
（ロ）マスク（３）をする時は、マスクの紐（４）と（４）’を左右それぞれ、凹状のガイド部（２）と（２）’に通し、マスクの紐（４）と（４）’が直接耳の後ろに当たらないようにする。
【発明の効果】
【０００６】本発明により、マスクの紐が直接耳の後ろに当たり、擦れて炎症を起こすのを防ぐことができる。
【図面の簡単な説明】
【図１】本物件の斜視図である。
【図２】本物件の凹状のガイド部（２）と（２）’にそれぞれマスクの紐（４）と（４）’を通した時の斜視図である。
【符号の説明】（１）  つるの適時場所
（１）’つるの適時場所
（２）  凹状のガイド部
（２）’凹状のガイド部
（３）  マスク
（４）  マスクの紐
（４）’マスクの紐
【図１】
2014197178.tif 000003
【図２】
2014197178.tif 000004
(57)【要約】【課題】この発明は、眼鏡の左右のそれぞれのつるの耳にかかる部分等、適時場所に挿通し、かつ脱着可能に装着し、その上部の凹状の所にマスクの紐をかけ、紐が直接耳の後ろに当たらないようにして、耳が痛くなるのを防止するガード器具に関するものである。【解決手段】本物件を左右それぞれの眼鏡のつるの末端部（６）に、本体上部（３）を上にして、側壁部（４）が耳側に来るように開口部（２）から眼鏡のつるの末端部（６）を挿通させて、耳にかかる場所等、適時場所に脱着可能に装着し、マスクの紐（７）を側壁部（４）と側壁部（５）の間に通し、直接マスクの紐（７）が耳の後ろに当たらないようにし、擦れて炎症が起きないようにするものである。尚、凹状の部分は本体の下部、又は、外側側部に設けてもいい。【選択図】図３
2014197177.tif 000002
【特許請求の範囲】
【請求項１】
眼鏡の左右のそれぞれのつるの耳にかかる部分等、適時場所に挿通し、かつ脱着可能に装着し、その上部又は下部又は外側側部の凹状の所にマスクの紐をかけ耳が痛くなるのを防止するガード器具である。
【発明の詳細な説明】
【発明の詳細な説明】
【技術分野】
【０００１】この発明は、眼鏡の左右のそれぞれのつるの耳にかかる部分等、適時場所に挿通し、かつ脱着可能に装着し、その上部又は下部又は外側側部の凹状の所にマスクの紐をかけ耳が痛くなるのを防止するガード器具に関するものである。
【背景技術】
【０００２】従来は、マスクの紐を耳に直接かけるしかなかった。
【発明が解決しようとする課題】
【０００３】耳かけ紐により耳の周辺が擦れて炎症を起こし痛くなるのを防止するもの。
【課題を解決するための手段】
【０００４】（イ）本物件は、ゴム状の柔軟な素材でできており、本体下部（１）は、眼鏡のつるの末端部（６）が挿通可能な大きさの貫通した開口部（２）を有する筒状となっている。
（ロ）本体上部（３）はマスクの紐（７）を引っかけて保持できるよう凹状になっていて、耳側の側壁部（４）は反対側の側壁部（５）よりも高く大きくする。
（ハ）使用する時は、本物件を左右それぞれの眼鏡のつるの末端部（６）に、本体上部（３）を上にして、側壁部（４）が耳側に来るように開口部（２）から眼鏡のつるの末端部（６）を挿通させて、耳にかかる場所等、適時場所に脱着可能に装着し、マスクの紐（７）を側壁部（４）と側壁部（５）の間に通し、直接マスクの紐（７）が耳の後ろに当たらないようにする。
尚、凹状の部分は本体の下部、又は、外側側部に設けてもいい。
【発明を実施するための形態】
【０００５】      以下、本発明の実施の形態について説明する。
（イ）本物件は、ゴム状の柔軟な素材でできており、本体下部（１）は、眼鏡のつるの末端部（６）が挿通可能な大きさの貫通した開口部（２）を有する筒状となっている。
（ロ）本体上部（３）はマスクの紐（７）を引っかけて保持できるよう凹状になっていて、耳側の側壁部（４）は反対側の側壁部（５）よりも高くする。
（ハ）使用する時は、本物件を左右それぞれの眼鏡のつるの末端部（６）に、本体上部（３）を上にして、側壁部（４）が耳側に来るように開口部（２）から眼鏡のつるの末端部（６）を挿通させて、耳にかかる場所等、適時場所に脱着可能に装着し、マスクの紐（７）を側壁部（４）と側壁部（５）の間に通し、直接マスクの紐（７）が耳の後ろに当たらないようにする。
尚、凹状の部分は本体の下部、又は、外側側部に設けてもいい。
【発明の効果】
【０００６】本発明により、マスクの紐が直接耳の後ろに当たり、擦れて炎症を起こすのを防ぐことができる。
【図面の簡単な説明】
【図１】本物件の斜視図である。
【図２】本物件を眼鏡のつるの末端部（６）から挿通する時の斜視図である。
【図３】本物件を眼鏡のつるの末端部（６）に装着し、マスクの紐（７）を本物件の凹状の側壁部（４）と側壁部（５）の間に引っかけた時の斜視図である。
【符号の説明】（１）本体下部
（２）開口部
（３）本体上部
（４）側壁部
（５）側壁部
（６）眼鏡のつるの末端部
（７）マスクの紐
【図１】
2014197177.tif 000003
【図２】
2014197177.tif 000004
【図３】
2014197177.tif 000005
(57)【要約】      （修正有）【課題】指紋認証が持つ一度破られると事実上使用不可能となるという課題とテキストをパスワードとする仕組みが持つ破られる危険性を現状よりも低下させるという課題を解決する手段を提供する。【解決手段】画像（筆跡）をパスワードに設定可能とし画像等として認証可能とする。すなわち、現状のパスワードの仕組みに以下を追加等行う。パスワードとして画像を設定可能とし画像を認証する仕組み。またタッチパネル式の端末等によって可能となる筆跡を画像として、（更にはデジタルの利点を活かして書き順、速度、太さ等々も情報として）パスワードに設定可能とする。【選択図】図１
2014142897.tif 000002
【特許請求の範囲】
【請求項１】
画像（筆跡）をパスワードとして設定可能とし画像（筆跡であれば更にデジタルの利点を活かして書き順、速度、太さ等々も情報）として認証する仕組み。
【発明の詳細な説明】
【技術分野】
【０００１】  本発明は、インターネット等のセキュリティを高めるパスワードの仕組みに関するものである。
【背景技術】
【０００２】  インターネット等のセキュリティを高めるパスワードの仕組みとしては、指紋認証やパスワード入力の際、画像化して画面表示されたパスワードをユーザーが文字入力するもの（ワンタイムパスワード）等々がある。
【発明の概要】
【発明が解決しようとする課題】
【０００３】  指紋認証が持つ一度破られると事実上使用不可能となるという課題。
またパスワードがあくまでもテキストとして扱われる限りあらゆるパターンの文字の羅列によるサイバー攻撃等に対しては破られる可能性が高いという課題。
更に近年普及しているタッチパネル式の端末等の利点を活かしたパスワードの仕組みの導入という課題。
【課題を解決するための手段】
【０００４】  現状のパスワードの仕組みに以下を追加等行う。
パスワードとして画像を設定可能とし画像を認証する仕組み。
またタッチパネル式の端末等によって可能となる筆跡を画像として、（更にはデジタルの利点を活かして書き順、速度、太さ等々も情報として）パスワードに設定可能とする。
【発明の効果】
【０００５】  画像認証は、指紋認証が持つ利点であるオリジナリティを持ちかつ設定変更が可能になるという効果。またタッチパネルの利点を活かし現状の「サイン（署名）」のように筆跡等をパスワードに使用することが可能となる効果がある。
これらによりパスワードをテキストとして扱う仕様と比較してサイバー攻撃等への耐性が高まる効果が期待できる。
また、パスワードの方法そのもののバリエーションが増えることによるサイバー攻撃等への耐性が高まる効果が期待できる。
特にタッチパネル関連はインターネットに限らずあらゆる分野、例えばスマートフォンの起動時などといった応用が期待できる。
【図面の簡単な説明】
【０００６】
【図１】図１は画像を設定可能とした場合の実施方法を例示した説明図である。
【図２】図２は筆跡を設定可能とした場合の実施方法を例示した説明図である。
【図１】
2014142897.tif 000003
【図２】
2014142897.tif 000004
(57)【要約】【課題】  本発明は家庭内で、実の煙で煙感知器の作動試験ができ得ることにある。【解決手段】  現在市販されている煙感知器は、自然に流れてきた大量の煙で約１分間以上かかって作動します。この道具で煙流入口に煙を吹き入れれば、少量の煙で約５〜１０秒程で作動します。現在の煙感知器は電池式で約５年間〜１０年間作動と説明してありますが、家庭に感知器を取り付けてからの５年間〜１０年間は各家庭で個々に作動するかどうかは、テストしなければなりません。この道具は女性でも手軽に扱う事ができ、安値にて１年に３〜４回はテストができ安心感が得られます。煙の出る元芯は、家庭内にある線香等ででき、安値であり安心であり、自宅用煙感知器、試験道具を構成している。【選択図】  図１
2014142809.tif 000002
【特許請求の範囲】
【請求項１】
チャック付ポリ袋、ジッパー式ポリ袋の底の先端の一か所を、約３ｍｍ斜めに切り取り、穴を開けて図３の３の形状にし、この穴に吸引用ストローで穴の直径約３ｍｍ〜５ｍｍ程、長さ約５cm〜１０cmのストローで、その先端を斜めに約１cm程切り取ったそのストローの先に、ポリ袋の中より外側へ突き通し、図２の４の形状にし、煙の通る穴を設け、ストローの先端の穴より感知器の煙流入口の近くに、吹き入れやすくなるように設けた。図１の形状のチャック付ポリ袋、ジッパー式ポリ袋の中にやわらかく半折にした厚紙や、使用済み郵便はがきを入れて、中を膨らまし煙が多く溜まりやすいようにしたものが図２であり、煙感知機用試験道具になり、図３だけの形状でも中に厚紙を入れれば煙感知機用試験道具。
【発明の詳細な説明】
【技術分野】
【０００１】
本発明は住宅用火災警報器の煙感知器へ、実の煙を流入させ試験的に、発報状態にする小さくて軽い、一人でも試験ができる安全な試験道具として発明した。
【背景技術】
【０００２】
従来の煙感知器動作試験治具は天井に取着された煙感知器を試験的に発報状態にするためのリードスイッチと、発報状態になると点灯する確認灯と感知器の一部を、磁石を備えた治具ヘッドにしており、高天井部分へは約４ｍ長くなる支持棒で構成されている。
【０００３】
しかしながら従来の煙感知器動作試験治具の取り扱いは大型器具のため重く、火災、防災関連業者が男子数名の作業員でオフィス、ビル、工場、団地等で営業の仕事として使用、一般個人は取り扱えないという欠点があり、団地での作業は、個々の室内に入って行うため、断られることが多くあり、全室の作業ができない欠点があった。
【先行技術文献】
【特許文献】
【０００４】
【特許文献１】特開平５−１５１４７８号公報
【発明の概要】
【発明が解決しようとする課題】
【０００５】
本発明は以上のような従来の欠点に鑑み、オフィス、ビル、会社、工場、団地等だけでなく、住宅で使用する簡単な構造で簡単に使用でき、軽くて、安全で、試験も短時間で済む構成で、実の煙で試験する道具を提供することを目的としている。
【課題を解決するための手段】
【０００６】
上記目的を達成するために、本発明は煙感知器試験道具として発明したもので、チャック付ポリ袋とストロー、厚紙、火を付ければ煙がでる線香等で構成しており、安全、安心、安値であり、室内で持ち歩くのは煙の入ったチャック付ポリ袋だけで、火気の心配はなく、軽くて手軽に家庭内で家族で短時間に、試験ができる道具で、煙感知器試験道具として構成している。
【発明の効果】
【０００７】
以上の説明から明らかのように、本説明にあっては、次に列挙する効果が得られる。
（１）チャック付ポリ袋、ストロー、厚紙、線香等の要件で構成されているので、軽くて、安全で、安値で安心して手軽に、女性の人でも使用できる道具である。
したがって安値で手軽に個々の住宅で、煙感知器の発報試験ができる。
【０００８】
（２）前記（１）によって安値で手軽にできるため一年間に３〜４回発報試験ができる。
（３）請求項２、厚紙を入れてポリ袋の中を膨らまし、煙が溜まりやすいようにするだけで簡単に作業ができ、前記（１）〜（２）と同様な効果が得られる。
【図面の簡単な説明】
【０００９】
【図１】本発明を実施するための最良の第１の形態の試験道具の斜視図である。
【図２】煙を溜める前のチャック付ポリ袋にストローを取り付け、厚紙を入れた平面図である。
【図３】チャック付ポリ袋の先端の一方を約２ｍｍ切り取り煙の出る穴を設けた平面図である。
【発明を実施するための形態】
【００１０】
以下、本発明の実施の形態を図に基づいて説明する
【実施例１】
【００１１】
図１は、本発明装置の実施例１の斜視図であって、チャック付ポリ袋の底の一方に煙の通る穴に、ストローを装着させ、ポリ袋の中に煙が溜まりやすいように厚紙で中を広げ、線香に火を付け煙を溜めているのが図１である。
【実施例２】
【００１２】
図２は、図３でポリ袋の一方の先端に穴を開け、ストローをこの穴に装着し、煙感知器の煙流入口へ少量の煙でも、近くで吹き入れれば確実に発報するための装置であり図３のポリ袋の先端の一方を切り取ったものでも、ストローの装置と同じく発報し試験道具となる。
【産業上の利用可能性】
【００１３】
本発明は、煙感知機を製造する産業で利用され、各市町村の消防本部、予防課で利用さ
れれば、煙感知器設置普及啓蒙運動の一助となる可能性。
【符号の説明】
【００１４】
１  ポリ袋
２  チャック
３  約２ｍｍ斜めに切り取った穴
４  ストロー
５  厚紙
６  線香
７  煙
【図１】
2014142809.tif 000003
【図２】
2014142809.tif 000004
【図３】
2014142809.tif 000005
【手続補正書】
【提出日】平成25年2月1日(2013.2.1)
【手続補正１】
【補正対象書類名】明細書
【補正対象項目名】０００８
【補正方法】変更
【補正の内容】
【０００８】
（２）前記（１）によって安値で手軽にできるため一年間に３〜４回発報試験ができる。
（３）図３のポリ袋の中に湾曲させた厚紙を入れてを膨らまし、煙が溜まりやすいようにするだけで簡単に作業ができ、前記（１）〜（２）と同様な効果が得られる。